(57)【要約】  【課題】  取り付け対象物に確実かつ容易に取り付け可能な表示板取付具を提供する。  【解決手段】  本発明の表示板取付具は、表示板取り付け部１０を支持する脚部２０と、前記脚部２０に取り付けられた一対のアーム３０、４０と、前記一対のアーム３０、４０間の間隔を調製する間隔調製手段５０とを有し、前記一対のアームの内の一方のアーム３０は前記脚部２０に固定状態で取り付けられ、他方のアーム４０は前記脚部２０に対し移動可能に取り付けられ、前記位置調整手段５０が移動可能な他方のアーム４０を移動させ、前記一対のアーム３０、４０間に取り付け対象物６０を挟持することを特徴とする。【選択図】  図４
2005220641.tif 000002
【特許請求の範囲】
【請求項１】
表示板取り付け部（１０）を支持する脚部（２０）と、
前記脚部（２０）に取り付けられた一対のアーム（３０、４０）と、
前記一対のアーム（３０、４０）間の間隔を調製する間隔調製手段（５０）と
からなり、
前記一対のアームの内の一方のアーム（３０）は前記脚部（２０）に固定状態で取り付けられ、他方のアーム（４０）は前記脚部（２０）に対し移動可能に取り付けられ、
前記位置調整手段（５０）が移動可能な他方のアーム（４０）を移動させ、前記一対のアーム（３０、４０）間に取り付け対象物（６０）を挟持する表示板取付具において、
前記間隔調製手段（５０）は、一方のアーム（３０）に係合するナット（６６）と、他方のアーム（４０）に係合するボルト（６４）とからなり、前記ナット（６６）とボルト（６４）とを螺合させる
ことを特徴とする表示板取付具。
【請求項２】
表示板取り付け部（１０）を支持する脚部（２０）と、
前記脚部（２０）に移動可能に取り付けられた一対のアーム（３０、４０）と、
前記一対のアーム（３０、４０）間の間隔を調製する間隔調製手段（５０）と
前記一対のアームの内の一方のアーム（３０）を前記脚部（２０）に固定状態に係合する固定係合手段（７０）と、
からなり、
前記位置調整手段（５０）が移動可能な他方のアーム（４０）を移動させ、前記一対のアーム（３０、４０）間に取り付け対象物（６０）を挟持する表示板取付具において、
前記間隔調製手段（５０）は、一方のアーム（３０）に係合するナット（６６）と、他方のアーム（４０）に係合するボルト（６４）とからなり、前記ナット（６６）とボルト（６４）とを螺合させる
ことを特徴とする表示板取付具。
【請求項３】
前記間隔調製手段（５０）は、
前記一方のアーム（３０）に形成された穴（６２）と、
前記他方のアーム（４０）に取り付けられた少なくとも先端に雄ネジが切られたボルト（６４）と、
前記ボルトに切られた雄ネジに螺合する雌ネジが切られたナット（６６）と
からなり、
前記ナット（６６）が前記穴（６２）を貫通してきたボルト（６４）と係合して、前記一対のアーム（３０、４０）間の間隔を調製する
ことを特徴とする請求項１または２に記載の表示板取付具。
【請求項４】
前記間隔調製手段（５０）は、
前記一対のアーム（３０、４０）の各アームに形成された穴（６２）と、
少なくとも先端に雄ネジが切られたボルト（６４）と、
前記ボルト（６４）に切られた雄ネジに螺合する雌ネジが切られたナット（６６）と
からなり、
前記ナット（６６）が、前記穴（６２）を貫通してきたボルト（６４）の各先端の雄ネジと係合して、前記一対のアーム（３０、４０）間の間隔を調製する
ことを特徴とする請求項１または２に記載の表示板取付具。
【請求項５】
前記固定係合手段は、前記一方のアーム（３０）と脚部（２０）の両方に形成された貫通穴（７２）とその貫通穴を通るピン（７４）とからなる
ことを特徴とする請求項２に記載の表示板取付具。
【請求項６】
前記固定係合手段は、前記一方のアーム（３０）と脚部（２０）の内の一方に形成された貫通穴（７２）と他方に形成されたピン（７４）とからなる
ことを特徴とする請求項２に記載の表示板取付具。
【発明の詳細な説明】
【技術分野】
【０００１】
本発明は、表示板取り付け具に関し、特に、表示板を道路のガードレール等に取り付ける表示板取り付け体に関する。なお本出願は特願２００４−０２５０７０の発明に関連する。
【背景技術】
【０００２】
従来この種の表示板取り付け具として下記の特許文献１に開示されたものが公知である。同文献の図１を参照すると、下側アーム５４のナット５４ｅを締め上げて上側アーム２０と下側アーム５４との間に取り付け対象（ガードレール）Ｇを挟持している。ネジ棒１２は円柱でありそれを包囲する摺動部５４ａもまた円筒状であるため、その間にガタが生じやすい。その結果下側アーム５４は回転し易く緩みやすい。最悪の場合表示板取り付け具がガードレールから外れ、表示板が道路上に落ち走行中の自動車にとって危険な状態になることがあった。
【０００３】
【特許文献１】日本特許第３０７１９８０号公報
【０００４】
前掲の特許文献１に開示された表示板取り付け具の問題点は、表示板支持部に取り付けられた脚部を利用して下側アームを駆動する手段を配置した点にある。即ち、脚部の下側端部に雄ネジを切り、このネジにナットを螺合させて下側アームを押し上げる点にある。スライドする部位と下側アームを押し上げる手段とは同一場所に配置されている。このため下側アームは上側アームとは異なり回転自在となる。従って緩みやすい。
【発明の開示】
【発明が解決しようとする課題】
【０００５】
前記した従来技術の欠点を鑑みると、本発明の目的は、上下アーム間に取り付け対象（ガードレール）を長期に渡り確実に挟持できる表示板取り付け具を提供することである。
【課題を解決するための手段】
【０００６】
前記課題を解決するために、請求項１に記載の本発明（図１を参照）は、表示板取り付け部を支持し一対のアームの一方がスライドする脚部と、取り付け対象（ガードレール）を挟持する一対のアーム間の間隔を調製する（狭める）間隔調製手段とを分けたことである。かくして、上下アームの一方は、取り付け時に脚部をスライドし、間隔調製手段で上下アーム間隔を狭めることができる。かくして、上下アームは、脚部と間隔調製手段と取り付け対象（ガードレール）の３カ所でそれぞれ拘束される。上下アームは緩みづらい。その結果表示板取り付け具がガードレールから外れることはない。
【発明を実施するための最良の形態】
【０００７】
請求項２に記載の本発明（図４を参照）によれば、請求項１に記載の発明と同様に、脚部と間隔調製手段とを分けたことに加え、一対のアームの両方を脚部に移動可能に配置し（請求項１に記載の発明においては、一方のアームは脚部に固定されている）、取り付け時に一方のアームを固定するために、アームを脚部に固定する固定係合手段を設けたことを特徴とする。かくして表示板のガードレールからの高さを調製できる利点がある。
【０００８】
請求項３に記載の本発明（図１を参照）は、請求項１，２に記載の本発明の間隔調製手段を具体的に特定したものである。請求項３に記載の間隔調製手段は、一方のアームに形成された穴と、前記他方のアームに取り付けられた少なくとも先端に雄ネジが切られたボルトと、前記ボルトに切られた雄ネジに螺合する雌ネジが切られたナットと
からなることを特徴とする。
【０００９】
請求項４に記載の本発明（図２，３を参照）は、請求項１，２に記載の本発明の間隔調製手段を具体的に特定したものである。請求項４に記載の前記間隔調製手段は、一対のアームの各アームに形成された穴と、少なくとも先端に雄ネジが切られたボルトと、前記ボルトに切られた雄ネジに螺合する雌ネジが切られたナットと
からなることを特徴とする。
【００１０】
請求項５に記載の本発明（図４を参照）は、請求項２に記載の発明の固定係合手段を具体的に特定したものである。請求項５の固定係合手段は、アームと脚部の両方に形成された貫通穴（少なくとも一方には複数の穴が形成されている）にピンを貫通させることである。両方に明けられた貫通孔を選択してその穴にピンを通すことにより、ガードレールと表示板との間隔を調製できる。ピンは市販されているもの（ボルトとナットの組み合わせ）を採用すれば、脚部とアームに穴を明けるだけで固定係合手段を構成できる。
【００１１】
請求項６に記載の本発明は、請求項２に記載の発明の固定係合手段を具体的に特定したものである。請求項６の固定係合手段は、アームと脚部の一方に複数の貫通穴を形成し、他方にその貫通穴に係合するピンを形成することである。この構成ではピンは一方に固定されているため、紛失の心配がない。
【実施例】
【００１２】
図１において、表示板取り付け部１０は、水平部材１１と、その両端に取り付けれれた短い垂直部材１２、１２とから構成されている。その結果、表示板取り付け部１０は全体としてＨ形状の外観をしている。水平部材１１は、一辺が約５ｃｍの四角形の筒状体から形成されている。しかし、水平部材１１は円柱、円筒、多角柱のいずれでもよい。表示板（図示せず）の足が垂直部材１２，１２に挿入されて固定される。垂直部材１２，１２の間隔は、表示板の足の幅に相当している。表示板の足の幅に合わせて、垂直部材１２，１２の間隔を調製できる機能を付加することも可能である。しかし垂直部材１２，１２の間隔が異なる別の種類の表示板取り付け部１０を用意して、足の間隔の異なる表示板に合わせることもできる。
【００１３】
表示板取り付け部１０は脚部２０の頂部から突出したボルト１３にナット１４を介して固定される。図１においては、水平部材１１，垂直部材１２，１２を含む面と固定アーム３０，可動アーム４０を含む面とは平行であるが、これらの面がねじれた状態となるよう、脚部２０と表示板取り付け部１０との結合を工夫することもできる。図１に示した状態は、ガードレール（道路）に対し表示板は直交している。しかし、上記したように、表示板を道路に対し内側に向けるのは、表示板取り付け部１０と脚部２０の結合角を変えることにより可能である。
【００１４】
表示板取り付け部１０と脚部２０の結合角を変える構成は、脚部２０の頂部の円板２１の円周にそって複数の穴を空けておく。例えば等角度で８個の穴をあけておく。一方表示板取り付け部１０にはその穴に相当する位置にピンを植設しておく。円板２１に形成された穴に表示板取り付け部１０に植設されたピンを差し込み組み立てることにより、表示板の道路に対する取り付け方向（角度）を４５度毎に変えることが出来る。
【００１５】
脚部２０は、一辺が約５ｃｍの四角形の筒状体から形成され、その長さは約１ｍである。この脚部２０もまた円柱、円筒、多角柱のいずれでもよい。脚部２０の長さは１ｍに限定されるものではない。固定アーム３０と可動アーム４０の間にガードレールである取り付け対象物６０（図６）を挟持できる長さである。
【００１６】
固定アーム３０は梁３１と把持部材３３とから構成される。表示板取り付け部１０との間隔が約１５ｃｍとなる位置に梁３１が脚部２０に溶接で固着されている。表示板取り付け部１０と梁３１との間の距離もまた任意である。この間の距離を変える方法は図４で後述する。梁３１は一辺が約４ｃｍの四角形の筒状体から形成され、その長さは約１５ｃｍである。この梁３１はまた円柱、円筒、多角柱のいずれでもよい。梁３１の先端には逆Ｌ字型（好ましくは２辺のなす角度は９０度以下である）の把持部材３３が溶接で取り付けられている。梁３１のほぼ中程に穴６２が形成されている。
【００１７】
可動アーム４０は梁４１と梁４１に取り付けられたボルト６４と把持部材４３と筒状体４４とから構成される。梁４１の一端には把持部材４３が溶接で取り付けられている。梁４１は一辺が約４ｃｍの四角形の筒状体から形成され、その長さは約１５ｃｍである。この梁４１はまた円柱、円筒、多角柱のいずれでもよい。梁４１の先端には逆Ｌ字型（好ましくは２辺のなす角度は９０度以下である）の把持部材４３が溶接で取り付けられている。梁４１のほぼ中程にボルト６４が溶接で取り付けられている。図において、ボルト６４は先端のみに雄ネジである左ネジが切られている。しかし全長にわたってでもよい。このネジは例えばＭ２０の左ネジである。
【００１８】
梁４１の他端には筒状体４４が溶接で取り付けられている。筒状体４４は脚部２０がその内部を貫通可能な筒状体である。脚部２０が円柱、円筒であれば、その外径より若干大きい内径を有する円筒である。この実施例においては、脚部２０は一辺が約５ｃｍの四角形の筒状体であるため、筒状体４４は、一辺が５＋ｃｍの四角形の筒状体である。筒状体４４は脚部２０上をスライド可能である。
【００１９】
図１においては、間隔調製手段５０のボルト６４が穴６２を貫通しナット６６に係合して、ナット６６を回転させることにより、把持部材３３と把持部材４３との間の距離を調製できる。即ち把持部材３３と把持部材４３との間の距離を縮めることによりガードレールである取り付け対象物６０を挟持できる（図６）。ナット６６を回転させることにより把持部材３３と把持部材４３との間の距離を変えるため、ナット６６は梁４１に溶接させる必要がなく、またボルト６４は梁４１に直接溶接されているため安定している。これにより、間隔調整手段５０が単純化され、かつ安定して作業をすることができる。          
【００２０】
次に図２で本発明の第２実施例を説明する。この第２実施例が第１実施例と異なる点は、第１実施例ではボルト６４が梁４１に直接溶接されていたのに対し、第２実施例では、梁３１，４１に穴６２がそれぞれ形成されており、ボルト６４は梁４１の穴６２を貫通し、次に梁３１の穴６２を貫通して、ボルトに切られた雄ねじに係合する雌ねじが切られたナット６６と係合して、これを回転させることによりアーム３０，４０間の距離を調整する。作用効果はほぼ同一であるが、ボルト６４の長さを変える事によりアーム３０，４０間の距離を広い範囲で調整することも可能となる。
【００２１】
図２と図３とを比較すると、図２においてはボルト６４が梁４１を貫通しているが、図３ではボルト６４は可動アーム４０に例えば溶接で固定されている。図２でボルト６４が梁４１に固定されれば、図３と同一構成となる。ボルト６４を梁４１に固定する方法は溶接することである。あるいはボルト６４が梁４１に対して容易に回転しないように回転防止手段を設けてもよい。この回転防止手段としては、梁４１に突起を設けボルト６４の頭と係合させることである。実際には、図２の構成のほうが、図３の構成より製造／使用に便利である。それはボルト６４が可動アーム４０に対し垂直に取り付けられない場合があるからである。垂直に取り付けられないと、可動アーム４０に固着されたボルト６４は固定アーム３０の穴６２を容易には貫通できない。
【００２２】
最後に図３で表示板取り付け部１０と固定アーム３０との間の距離を変える構成を示す。表示板取り付け具１０と固定アーム３０との間の距離を適宜決定した後、固定係合手段７０で固定アーム３０を脚部２０に固定する。図４の固定アーム３０は、可動アーム４０とほぼ同一構成をしている。即ち、梁３１の一端に筒状体３４が溶接されている。筒状体３４の側面には複数の貫通孔７２が形成されている。同様に脚部２０に１個の貫通孔７２が形成されている。２つの貫通孔７２，７２にピン７４を通すことにより、固定アーム３０を脚部２０に固定できる。
【００２３】
具体的には、表示板取り付け部１０と固定アーム３０との間の距離を広げるには、筒状体３４に空けられた最上位の貫通孔７２と脚部２０の貫通孔７２とを合わせてピン７４を挿入する。逆に距離を縮めるには最下位の貫通孔７２と脚部２０の貫通孔７２を合わせてピン７４を挿入すればよい。ここに開示した実施例とは逆に、脚部２０に複数の貫通孔を形成し、筒状体３４に１個の貫通孔を形成してもよい。また、筒状体３４と脚部２０に凹凸をそれぞれ形成し、それらを係合してを脚部２０に固定してもよい。
【００２４】
前述したように、固定係合手段としてはさまざまな構成が考えられる。いずれにしても、表示板取り付け具を実際にガードレールに取り付ける直前には、一対のアームの内の一方を脚部に固定し、他方のアームを間隔調整手段で移動させる構成である。固定係合手段の一例は特許文献１に既に開示されている。
【図面の簡単な説明】
【００２５】
【図１】本発明の第１実施例の表示板取り付け具の側面図。
【図２】本発明の第２実施例の表示板取り付け具の側面図。
【図３】本発明の第３実施例の表示板取り付け具の側面図。
【図４】本発明の表示板取り付け具をガードレールに取り付けた状態を表す斜視図。
【符号の説明】
【００２６】
１０  表示板取り付け部
１１  水平部材
１２  垂直部材
１３  ボルト
１４  ナット
２０  脚部
３０  固定アーム
３１  梁
３３  把持部材
３４  筒状体
４０  可動アーム
４１  梁
４３  把持部材
４４  筒状体
５０  間隔調製手段
６０  取り付け対象物
６２  穴
６４  ボルト
６６  ナット
７０  固定係合手段
７２  貫通孔
７４  ピン
【図１】
2005220641.tif 000003
【図２】
2005220641.tif 000004
【図３】
2005220641.tif 000005
【図４】
2005220641.tif 000006